(57)【特許請求の範囲】
【請求項１】
パチンコ遊技機の遊技盤に装着される遊技機器を検査するために遊技機器を着脱可能で且つベルトコンベアを含む搬送手段で搬送可能な遊技機器検査設備の検査用パレット治具において、
水平なベース板と、
前記ベース板に立設され種々の遊技部品や遊技機器が装着される前の遊技盤の原板と同構造の遊技機器を着脱可能な遊技盤原板であって、パチンコ遊技機の機種毎に形状が異なる遊技盤原板と、
前記ベース板に着脱可能に取付けられ前記遊技盤原板を交換可能に立設状に固定支持する支持脚と、
前記遊技盤原板に装着された遊技機器を固定解除可能に固定するロック手段と、
前記ベース板に装着され前記ベルトコンベア上を転動可能な複数のキャスターとを備え、
前記ベース板に取付けられた遊技盤原板を立向姿勢から倒伏姿勢に保持して遊技盤原板に前記遊技機器を装着可能に構成した、
ことを特徴とする遊技機器検査設備の検査用パレット治具。
【発明の詳細な説明】
【技術分野】
【０００１】
本発明は、パチンコ遊技機の遊技盤に装着される液晶ユニット等の遊技機器を検査する遊技機器検査設備の検査用パレット治具に関するものである。
【背景技術】
【０００２】
従来、パチンコ遊技機は、遊技ホールの島構造体に固定される外枠、外枠に回動自在に枢支された開閉枠（内枠）、開閉枠に取付けられた遊技盤、遊技盤の前側を開閉可能に開閉枠に回動自在に枢支された開閉扉を備え、遊技盤には、ガイドレール、障害釘、風車、各種入賞口、遊技表示器等の他、液晶ユニット（演出ユニット）が装着されている。
【０００３】
近年のパチンコ遊技機において、外枠、開閉枠、開閉扉は複数機種に共通に構成できる一方、遊技盤（液晶ユニット）は複数機種に個別の構成になる。液晶ユニットは、パチンコ遊技機の非常に重要な役割を担う遊技機器であり、液晶ベース、液晶ディスプレイ、可動役物、各種制御基板を含む遊技制御装置等で構成されている。
【０００４】
従来、パチンコ遊技機の新機種は、その受注を受けて或いは見込んで多数製造され、その際、多数のパチンコ遊技機に搭載する多数の液晶ユニットの検査が必要になるが、本願出願人は、液晶ユニットを遊技盤に装着する前に、多数の液晶ユニットを纏めて検査するようにしている。ここで、図１７、図１８に本願出願人が実施の液晶ユニットを検査する従来設備を示している。
【０００５】
この液晶ユニット検査設備１００では、ベルトコンベア１０１が配設され、そのベルトコンベア１０１に沿って間隔を空けて複数の検査ステージ１０２が配設され、各検査ステージ１０２には検査テーブル１０３上に検査用治具１０４が設置されている。検査用治具１０４は、ベース部材１０５と、ベース部材１０５に水平軸心回りに回動自在に連結されたユニット装着部材１０６とを備えている。
【０００６】
複数の液晶ユニット１１０が、順次、ベルトコンベア１０１の搬送方向上流側に投入され、そこで、液晶ユニット１１０はベルトコンベア１０１上に倒伏姿勢で直に載置される。各検査ステージ１０２の作業者が、ベルトコンベア１０１から液晶ユニット１１０を担いで検査用治具１０４に移載し、そこで、図１８に実線で示すように、液晶ユニット１１０を作業者側（図１８の右側）に向けた鉛直姿勢でユニット装着部材１０６に装着する。
【０００７】
次に、図１８に仮想線で示すように、液晶ユニット１１０をユニット装着部材１０６と共に９０度反転させ倒伏姿勢に切換えてから、液晶ユニット１１０に検査接続端子（図示略）を接続し、その後再度、図１８に実線で示すように、液晶ユニット１１０をユニット装着部材１０６と共に９０度反転させ鉛直姿勢に切換えてから各種検査を行い、その後、液晶ユニット１１０から検査接続端子を分離し、液晶ユニット１１０を担いでユニット装着部材１０６から取外してベルトコンベア１０１に移載する。
【０００８】
一方、特許文献１には、パチンコ遊技機の遊技盤を搬送する遊技盤搬送装置が開示されている。この遊技盤搬送装置では、遊技盤を搬送する上下２段のコンベアが２組並設されている。各組の上下２段のコンベアは搬入コンベアと搬出コンベアである。２組のコンベアに沿ってその両サイドに複数の釘打ち装置が間隔を空けて配設され、各釘打ち装置に搬入コンベアから遊技盤が搬入され、釘打ち後、釘打ち装置から搬出コンベアに遊技盤が搬出され、その搬入・搬出のために複数の水平シリンダが設けられている。
【０００９】
特許文献２には、パチンコ遊技機の製造ラインが開示されている。この製造ラインには、パチンコ遊技機の内枠や遊技盤等の遊技機部材をコンベアで搬送し、その搬送途中で、遊技機部材を起倒させる起倒装置や遊技機部材を立向姿勢で鉛直軸心回りに反転させる反転装置が装備され、各種部品の組付けに適した姿勢に切換えることができる。起倒装置は、搬送台に倒伏姿勢で載置された遊技機部材を、その両端側からシリンダにより挟持して起倒ベースに固定し、更に別のシリンダにより起倒ベースと共に起立させる。
【００１０】
特許文献３には、パチンコ遊技機の組立や解体を行うために、パチンコ遊技機を装着して姿勢を切換え可能な治具が開示されている。この治具は、外枠フレーム、外枠フレームに水平軸心回りに枢支された内枠フレーム、内枠フレームにパチンコ遊技機の内枠を固定するロック機構を備えている。この治具の外枠フレームが倒伏姿勢で１対のレールに載置され搬送される。内枠フレームには反転操作用のレバーが取付けられ、そのレバーが外枠フレームに形成された１対の切欠部に択一的に係合して、内枠フレームの位置が保持される。別実施例には、前記治具をキャスター付きの台車に設けたものが開示されている。
【先行技術文献】
【特許文献】
【００１１】
【特許文献１】特開平１１−１２８４５７号公報
【特許文献２】特開平１１−２４４４６１号公報
【特許文献３】特開２００２−１８６７１６号公報
【発明の概要】
【発明が解決しようとする課題】
【００１２】
図１７、図１８に示す液晶ユニット検査設備では、各検査ステージの作業者が、液晶ユニットを担いでベルトコンベアから検査ステージに移載して検査用治具に装着しなければならないし、検査後も、液晶ユニットを担いで検査用治具から取外して検査ステージからベルトコンベアに移載しなければならない。液晶ユニットは比較的重いものであり、液晶ユニットを上記作業の際に慎重に取扱うことも要求される。故に、液晶ユニットを検査する作業負荷が大きくなり、作業能率を高めることが困難になる。
【００１３】
また、液晶ユニットをベルトコンベアに直に載置するため、液晶ユニットが損傷する虞が高くなる。そこで、液晶ユニットを搬送台に載せてベルトコンベアで搬送することも可能である。しかし、液晶ユニットの形状・サイズは機種によって異なるため、製造するパチンコ遊技機の機種が変わる度に、その機種の液晶ユニットに応じた搬送台を複数製作する必要がある。複数の検査ステージに設置されている検査用治具についても同様であり、機種毎に液晶ユニットに応じた検査用治具を複数製作する必要があり、その製作費は高価になる。つまり、設備コストが高価になる。
【００１４】
尚、特許文献１の技術では、パチンコ遊技機の遊技盤に釘打ちを行うために遊技盤を搬送するが、特に治具を用いて行うものではない。特許文献２の技術では、パチンコ遊技機の内枠や遊技盤等の遊技機部材を搬送し、その搬送途中で、遊技機部材を起倒させる起倒装置や遊技機部材を立向姿勢で鉛直軸心回りに反転させる反転装置が装備されているが、その起倒装置や反転装置は非常に大掛かりな装置である。
【００１５】
特許文献３の技術では、パチンコ遊技機の組立や解体を行うために、パチンコ遊技機を治具に装着して姿勢を切換えることができ、その治具をパチンコ遊技機と共に１対のレールで搬送することができる。この治具に液晶ユニット（遊技機器）を装着し、図１７、図１８に示す液晶ユニット検査設備に適用した場合でも、この液晶ユニットと共に治具を担いで、ベルトコンベアから検査ステージへ移載し、検査ステージからベルトコンベアに移載する作業は必要であるため、作業負荷を軽減できずむしろ増大させることになる。
【００１６】
特許文献３の別実施例には、前記治具をキャスター付きの台車に設けたものが開示されているが、その台車は、治具の内枠フレームを水平軸心回りに回動可能にするために大型になる。また、この治具は、１対のレールを排除する代わりとして、台車に設けられるものであり、他の搬送設備と協働してパチンコ遊技機を搬送するものではない。
【００１７】
本発明の目的は、遊技機器を検査する作業負荷を軽減し、作業能率を向上させ、汎用性が高く、設備コストを安価にする、遊技機器検査設備の検査用パレット治具を提供することである。
【課題を解決するための手段】
【００１８】
請求項１の発明は、パチンコ遊技機(1)の遊技盤(4)に装着される遊技機器(20)を検査するために遊技機器(20)を着脱可能で且つベルトコンベア(30,31)を含む搬送手段で搬送可能な遊技機器検査設備(1)の検査用パレット治具(32/32A/32B)において、水平なベース板(40/40A)と、前記ベース板(40/40A)に立設され種々の遊技部品(11,12・・・)や遊技機器(20)が装着される前の遊技盤(4)の原板と同構造の遊技盤原板(41)であって、パチンコ遊技機(1)の機種毎に形状が異なる遊技盤原板(41)と、前記ベース板(40/40a)に着脱可能に取付けられ前記遊技盤原板(41)を交換可能に立設状に固定支持する支持脚(42/42A)と、前記遊技盤原板(41)に装着された遊技機器(20)を固定解除可能に固定するロック手段(43/43A/43B)と、前記ベース板(40/40A)に装着され前記ベルトコンベア(30,31)上を転動可能な複数のキャスター(44)とを備え、前記ベース板(40/40a)に取付けられた遊技盤原板(41)を立向姿勢から倒伏姿勢に保持して遊技盤原板(40/40a)に前記遊技機器(20)を装着可能に構成したことを特徴とする。
【発明の効果】
【００２４】
本発明の遊技機器検査設備の検査用パレット治具によれば、遊技部品や遊技機器が装着される前の遊技盤の原板と同構造の遊技盤原板に遊技機器を遊技盤に実装する姿勢と同じ立向姿勢で装着した状態で、検査用パレット治具をベルトコンベアで搬送し、容易に移動させて遊技機器を容易に検査することができるので、遊技機器を検査する作業負荷を軽減して、作業能率を向上させることができる。
【図面の簡単な説明】
【００２５】
【図１】本発明の実施例に係る遊技機器検査設備の平面図である。
【図２】遊技機器検査設備の側面図である。
【図３】遊技機器検査設備の稼働時の平面図である。
【図４】遊技機器検査設備の制御系のブロック図である。
【図５】検査用パレット治具の側面図である。
【図６】検査用パレット治具の背面図である。
【図７】検査用パレット治具の底面図である。
【図８】投入ステージと検査用パレット治具の図である。
【図９】回収ステージの第１フリーローラコンベア等を示す図である。
【図１０】回収ステージの第２フリーローラコンベア等を示す図である。
【図１１】検査設備制御装置が実行するコンベア制御のフローチャートである。
【図１２】変更形態に係る検査用パレット治具の背面図である。
【図１３】図１２のXIII−XIII線断面図である。
【図１４】別の変更形態に係る検査用パレット治具の背面図である。
【図１５】パチンコ遊技機の正面図である。
【図１６】パチンコ遊技機の背面図である。
【図１７】従来技術に係る遊技機器検査設備の平面図である。
【図１８】従来技術に係る検査ステージの検査用治具等を示す図である。
【発明を実施するための形態】
【００２６】
本発明の遊技機器検査設備の検査用パレット治具は、パチンコ遊技機の遊技盤に装着される同一機種の遊技機器である液晶ユニットを多数纏めて検査する設備の治具であり、その一部を変更して異なる機種の液晶ユニットを検査できる治具になる。以下、複数の検査用パレット治具を含む遊技機器検査設備について実施例に基づいて説明する。
【実施例】
【００２７】
先ず、パチンコ遊技機１について簡単に説明する。
図１５、図１６に示すように、パチンコ遊技機１は、遊技ホールの島構造体に固定される外枠２、外枠２に回動自在に枢支された開閉枠３（内枠３）、開閉枠３に取付けられた遊技盤４、遊技盤４の前側を開閉可能に開閉枠３に回動自在に枢支された透明板５ａを有する開閉扉５を備えている。開閉扉５には貯留皿６と発射ハンドル７が装着されている。
【００２８】
遊技盤４には、ガイドレール１０、多数の障害釘１１、風車１２、第１始動口１３ａと開閉式の第２始動口１３ｂとを有する始動口装置１３、ゲート１４、開閉式の大入賞口１５ａを有する大入賞口装置１５、複数の一般入賞口１６、センタ役物装置１７、遊技表示器１８が図示の配置で装着されている。
【００２９】
センタ役物装置１７は装飾枠１９と液晶ユニット２０（演出ユニット２０）とを備え、装飾枠１９は、遊技盤４に形成されたセンタ開口４ａに前側から嵌合状に装着されている。液晶ユニット２０は、液晶ベース２１、液晶ディスプレイからなる画像表示器２２、可動役物２３（可動ギミック２３）、各種制御基板を含む遊技制御装置２４等を備え、これらを組立ててユニット化され、画像表示器２２の画面が装飾枠１９の内側（センタ開口４ａ）に臨むように遊技盤４に後側から装着されている。
【００３０】
本発明の遊技機器検査設備Ｓは、パチンコ遊技機１の遊技盤４に装着される同一機種の遊技機器である液晶ユニット２０を多数纏めて検査する設備である。ここで、遊技盤４（液晶ユニット２０）は複数機種に個別の構成であるが、本発明の遊技機器検査設備Ｓは、その一部を変更して異なる機種の液晶ユニットを検査できる設備になる。
【００３１】
遊技機器検査設備Ｓについて説明する。尚、図１、図２に矢印で示す前方・左方・上方を前方・左方・上方として説明する。尚、後述の検査用パレット治具３２についての説明では、図５〜図７に矢印で示す前方・左方・上方を前方・左方・上方として説明する。
【００３２】
図１〜図１０に示すように、遊技機器検査設備Ｓは、１対の第１ベルトコンベア３０、第２ベルトコンベア３１、複数（例えば、約３０個）の検査用パレット治具３２、投入ステージ３３、複数（例えば、１０個）の検査ステージ３４、回収ステージ３５、検査設備制御装置３６を備え、複数の検査用パレット治具３２が、順次、投入ステージ３３→１対の第１ベルトコンベア３０の何れか→複数の検査ステージ３４の何れか→１対の第１ベルトコンベア３０の何れか→回収ステージ３５→第２ベルトコンベア３１→投入ステージ３３→・・・の順に循環される。
【００３３】
遊技機器検査設備Ｓは、複数の棒状又はバー状の部材を連結して形成した検査設備フレームＳａを備え、この検査設備フレームＳａに或いは検査設備フレームＳａの近傍に、１対の第１ベルトコンベア３０、第２ベルトコンベア３１、複数の検査用パレット治具３２、投入ステージ３３、複数の検査ステージ３４、回収ステージ３５、検査設備制御装置３６が装備されている。
【００３４】
図１〜図３に示すように、１対の第１ベルトコンベア３０は夫々前後方向に延び検査用パレット治具３２を後方へ搬送するコンベアであり、第２ベルトコンベア３１は第１ベルトコンベア３０に並設されて前後方向へ延び検査用パレット治具３２を前方へ搬送するコンベア、つまり搬送方向が第１ベルトコンベア３０と逆方向のコンベアである。１対の第１ベルトコンベア３０は第２ベルトコンベア３１の左右両側に近接状に且つ第２ベルトコンベア３１と同高さ位置に配設され、各第１ベルトコンベア３０と第２ベルトコンベア３１との間で検査用パレット治具３２をそのキャスター４４で移動させることができる。
【００３５】
図３、図５〜図７に示すように、複数（約３０個）の検査用パレット治具３２は、夫々、水平なベース板４０、遊技盤原板４１、左右１対の支持脚４２、１対のロック機構４３、複数（例えば、８個）のフリーボールキャスター４４を備えている。
【００３６】
尚、検査用パレット治具３２は、第１，第２ベルトコンベア３０，３１の長さや搬送速度、検査ステージ３４の数、投入ステージ３３や検査ステージ３４や回収ステージ３５での作業時間等を加味して必要数（約３０個）配備されている。但し、検査用パレット治具３２の数を適宜増やしたり減らしたりすることができる。
【００３７】
ベース板４０は、遊技盤原板４１の左右長と略同じ左右長を有するとともに、その左右長が前後長よりも長い平面視矩形に形成されている。遊技盤原板４１は、遊技盤４の原板（つまり、前記遊技盤４にガイドレール１０、多数の障害釘１１、風車１２・・・等（遊技部品）を装着する前のもの）と同構造のものであり、パチンコ遊技機１の製造にあたって量産された多数の遊技盤４の原板の１つを各検査用パレット治具３２の遊技盤原板４１として使用することができる。
【００３８】
つまり、遊技盤原板４１には、遊技盤４のセンタ開口４ａと同じセンタ開口４１ａが形成されている。尚、図６（図３、図１０）では、センタ開口４１ａを便宜上楕円形としているが、実際は液晶ユニット２０( センタ役物装置１７) に応じた多少複雑な形状である。遊技盤原板４１は、ベース板４０の上面部の前後方向中央部よりも少し前側部分に前方へ向けて立設され、この遊技盤原板４１に後側から液晶ユニット２０が遊技盤４に実装する姿勢と同じ立向姿勢で着脱可能に装着される。遊技盤原板４１の立設位置は、遊技盤原板４１とそれに装着された液晶ユニット２０が安定する位置である。
【００３９】
１対の支持脚４２は、ベース板４０の上面の左右両端部分に取付けられ、遊技盤原板４１を交換可能に立設状に支持する。各支持脚４２は前後１対のＬ形部材４２ａからなり、１対のＬ形部材４２ａの鉛直板部が遊技盤原板４１の厚さと略同じ間隔空けて前後に対向するように、１対のＬ形部材４２ａの水平下板部がボルト４２ｂによりベース板４０に締結されている。遊技盤原板４１は各１対のＬ形部材４２ａの鉛直板部間に挿入されて、遊技盤原板４１を貫通するボルト・ナット４２ｃにより挟持状に固定される。
【００４０】
１対のロック機構４３は、遊技盤原板４１に装着された液晶ユニット２０を固定解除可能に固定するロック手段である。例えば、各ロック機構４３には周知のトグルクランプ機構が採用され、一方のロック機構４３で液晶ユニット２０の左部且つ上部を遊技盤原板４１の裏面にクランプ可能に、他方のロック機構４３で液晶ユニット２０の右部且つ下部を遊技盤原板４１の裏面にクランプ可能に、１対のロック機構４３は遊技盤原板４１の裏面部に取付けられている。
【００４１】
複数（８個）のフリーボールキャスター４４は、ベース板４０に装着され、第１，第２ベルトコンベア３０，３１上と各検査ステージ３４の検査テーブル３４ａ上を転動可能である。ベース板４０の下面に前後１対のキャスターユニット４５がビス（図示略）等で取付けられ、各キャスターユニット４５が、４個のフリーボールキャスター４４を左右方向に直列状に繋げて構成されている。
【００４２】
図１〜図３、図８に示すように、投入ステージ３３は、液晶ユニット２０が未装着の検査用パレット治具３２を第２ベルトコンベア３１の搬送方向下流側（前側）において回収し、その検査用パレット治具３２に液晶ユニット２０を装着し、その液晶ユニット２０が装着された検査用パレット治具３２を１対の第１ベルトコンベア３０の何れかの搬送方向上流側（前側）に振分けて投入する作業を行うステージである。
【００４３】
投入ステージ３３は、第２ベルトコンベア３１の上流端（前端）に近接させて第２ベルトコンベア３１よりも少し高い位置に配設された治具載置台３３ａを有し、この治具載置台３３ａの左右１対の凸状支持部３３ｂに、検査用パレット治具３２をその遊技盤原板４１の後面が上方へ向き且つその複数のキャスター４４が後方（第２ベルトコンベア３１の方）へ向く倒伏姿勢で載置してその検査用パレット治具３２に液晶ユニット２０を装着可能である。
【００４４】
第２ベルトコンベア３１では検査用パレット治具３２が遊技盤原板４１を前方へ向けた前向姿勢で搬送され、故に、第２ベルトコンベア３１の下流端（前端）の検査用パレット治具３２を前方に倒すことで、前記のように投入ステージ３３の１対の凸状支持部３３ｂに検査用パレット治具３２を倒伏姿勢で容易に載置し、即座にその検査用パレット治具３２に液晶ユニット２０を装着することができる。
【００４５】
また、その後、液晶ユニット２０が装着された検査用パレット治具３２を後方へ起こして第２ベルトコンベア３１上に一旦載置した後、複数のフリーボールキャスター４４により第２ベルトコンベア３１から第１ベルトコンベア３０に移動させ、遊技盤原板４１を後方に向けた後向姿勢（液晶ユニット２０が遊技盤原板４１の前側にある姿勢）で検査用パレット治具３２を第１ベルトコンベア３０に投入することができる。
【００４６】
図１〜図３に示すように、複数（１０個）の検査ステージ３４は、各第１ベルトコンベア３０に対して５個ずつ、１対の第１ベルトコンベア３０に沿って間隔を空けて配設され、夫々第１ベルトコンベア３０に近接させて第１ベルトコンベア３０と同高さ位置に配設された検査テーブル３４ａを有し、第１ベルトコンベア３０から検査テーブル３４ａに検査用パレット治具３２を移載し、その検査用パレット治具３２に装着された液晶ユニット２０を検査し、その後検査用パレット治具３２を検査テーブル３４ａから第１ベルトコンベア３０に移載する作業を行うステージである。
【００４７】
各検査ステージ３４には、検査テーブル３４ａの上方の検査設備フレームＳａに検査機５０が設置され、検査テーブル３４上に検査操作器５１が設置され、検査機５０から検査テーブル３４の方へ延びるコード５２に検査接続端子５３（図４参照）が接続されている。各検査ステージ３４の検査では、液晶ユニット２０の遊技制御装置２４の接続端子（図示略）に検査接続端子５３を接続してから検査操作器５１を操作して、液晶ユニット２０の所定の機能（動作）が正常か否か確認し、その後、検査接続端子５３を分離する。
【００４８】
第１ベルトコンベア３０と検査テーブル３４ａ間の検査用パレット治具３２の移動を、複数のフリーボールキャスター４４により容易に行うことができ、また、液晶ユニット２０の前記検査（検査接続端子５３の接続と分離、機能の正常有無の確認等）のために、検査用パレット治具３２の反転等の移動を容易に行うことができる。尚、検査後は、遊技盤原板４１を第２ベルトコンベア３１側へ向けた横向姿勢（液晶ユニット２０が第２ベルトコンベア３１と反対側にある姿勢）で検査用パレット治具３２を第１ベルトコンベア３０に移載する。
【００４９】
図１〜図３、図９、図１０に示すように、回収ステージ３５は、１対の第１ベルトコンベア３０の下流端（後端）から検査用パレット治具３２を受入れ、その検査用パレット治具３２から液晶ユニット２０を取外して回収し、液晶ユニット２０が未装着の検査用パレット治具３２を第２ベルトコンベア３１の搬送方向上流側（後側）に投入する作業を行うステージである。
【００５０】
回収ステージ３５は、１対の第１ベルトコンベア３０から横向姿勢で受入れた検査用パレット治具３２を夫々後方（第１ベルトコンベア３０の搬送方向と同方向）へ搬送する左右１対の第１フリーローラコンベア３５ａと、液晶ユニット２０が取外された検査用パレット治具３２を前向姿勢で前方（第２ベルトコンベア３１の搬送方向と同方向）へ搬送して第２ベルトコンベア３１に投入する第２フリーローラコンベア３５ｂとを有する。１対の第１フリーローラコンベア３５ａと第２フリーローラコンベア３５ｂは回収ステージフレームＳｂに装備されている。
【００５１】
１対の第１フリーローラコンベア３５ａは、第１ベルトコンベア３０と同高さ位置に且つ前端が１対の第１ベルトコンベア３０の後端に近接するように配設されている。各第１フリーローラコンベア３５ａは左右１対の前後方向に細長いフリーローラユニット３５ａ１からなり、図９に示すように、この１対のフリーローラユニット３５ａ１に横向姿勢の検査用パレット治具３２の１対のキャスターユニット４５間においてベース板４０を載置支持し、その際に検査用パレット治具３２が安定するように、１対のフリーローラユニット３５ａ１が左右に間隔を空けて配置されている。
【００５２】
また、各第１フリーローラコンベア３５ａに載置された検査用パレット治具３２のベース板４０を前後方向にガイドする左右１対のガイドバー３５ａ２が設けられ、この１対のガイドバー３５ａ２により、検査用パレット治具３２を一層安定させて搬送することができる。尚、各第１フリーローラコンベア３５ａには、検査用パレット治具３２を複数同時に（例えば、最大で２個）載置することができる。
【００５３】
第２フリーローラコンベア３５ｂは、第１フリーローラコンベア３５ａよりも前後長が短く構成され、１対のフリーローラコンベア３５ａの間において、第２ベルトコンベア３１と同高さ位置に且つ前端が第２ベルトコンベア３１の後端に近接するように配設されている。第２フリーローラコンベア３５ｂは左右１対の前後方向に細長いフリーローラユニット３５ｂ１からなり、図１０に示すように、この１対のフリーローラユニット３５ｂ１に前向姿勢の検査用パレット治具３２のキャスターユニット４５よりも左右両外側においてベース板４０を載置支持し、その際に検査用パレット治具３２が安定するように、１対のフリーローラユニット３５ｂ１が左右に間隔を空けて配置されている。
【００５４】
回収ステージ３５では、第１ベルトコンベア３０から受入れた検査用パレット治具３２を第１フリーローラコンベア３５ａにより後方へ搬送して、検査用パレット治具３２から液晶ユニット２０を取外して回収する作業を簡単に確実に行うことができ、また、液晶ユニット２０が取外された検査用パレット治具３２を第２フリーローラコンベア３５ｂにより前方へ搬送して第２ベルトコンベア３１に簡単に確実に投入することができる。
【００５５】
ここで、図１、図２に示すように、１対の第１ベルトコンベア３０で搬送された検査用パレット治具３２を横向姿勢で１対の第１フリーローラコンベア３５ａに夫々案内する左右１対の第１治具ガイド機構６０と、第２フリーローラコンベア３１で搬送された検査用パレット治具３２を前向姿勢で第２ベルトコンベア３１に案内する第２治具ガイド機構６５とが設けられている。
【００５６】
各第１ガイド機構６０は、第１ベルトコンベア３０の第２ベルトコンベア３１と反対側端部付近に配設され、第１ベルトコンベア３０の搬送方向下流側（後側）ほど第１ベルトコンベア３０の中心側へ移行するように傾斜するガイド部材６１と、第１，第２ベルトコンベア３０，３１の境界部付近に配設され、第１ベルトコンベア３０の搬送方向下流側（後側）ほど第１ベルトコンベア３０の中心側へ移行するように傾斜し且つガイド部材６１よりも長いガイド部材６２とを有する。
【００５７】
つまり、２つのガイド部材６１，６２は、第１ベルトコンベア３０の搬送方向下流側ほど窄むハ字状に配置され、このガイド部材６１，６２により横向姿勢の検査用パレット治具３２を第１フリーローラコンベア３５ａに確実に案内して移載することができる。
【００５８】
第２ガイド機構６５は、１対の第１ガイド機構６０のガイド部材６２からなる。つまり、１対のガイド部材６２は、第２ベルトコンベア３１の搬送方向下流側ほど窄むハ字状に配置され、このガイド部材６２により前向姿勢の検査用パレット治具３２を第２ベルトコンベア３１に確実に案内して移載することができる。このように、各第１ガイド機構６０と第２治具ガイド機構６５は、これら両ガイド機構６０，６５に共通のガイド部材６２を有する。これにより、第１，第２治具ガイド機構６０，６５の構成を簡単化することができる。
【００５９】
次に、遊技機器検査設備Ｓの制御系について説明する。
図４に示すように、検査設備制御装置３６には、操作盤７０、第１，第２治具検出センサ７１，７２、検査数カウントＳＷ７３（尚、「ＳＷ」はスイッチを意味する）、１対の第１ベルトコンベア３０を駆動する為の１対のコンベア駆動部３０ａ、第２ベルトコンベア３１を駆動する為のコンベア駆動部３１ａ、検査管理表示器７４、複数の検査ステージ３４の検査機５０が接続されている。
【００６０】
検査設備制御装置３６は、操作盤７０、第１，第２治具検出センサ７１，７２等からの信号に基づいて第１，第２ベルトコンベア３０，３１を制御し、また、検査数カウントＳＷ７３等からの信号に基づいて検査管理表示器７４を制御する。検査設備制御装置３６は複数の検査機５０との間で各種情報を通信できるが、複数の検査機５０については検査設備制御装置３６と接続せずに独立に設けてもよい。
【００６１】
操作盤７０では、第１，第２ベルトコンベア３０，３１の作動開始と作動停止を指令することができ、第１，第２ベルトコンベア３０，３１の搬送速度を設定することができ、検査管理表示器７４に表示する計画（検査予定数）を入力することができる。
【００６２】
第１治具検出センサ７１は、投入ステージ３３の治具載置台３３ａに載置された検査用パレット治具３２を検出する第１治具検出手段であり、例えば、治具載置台３３ａ上に後方へ向けて設置された発光部と受光部を有する反射光感知型の光学センサからなる。第２治具検出センサ７２は、第２ベルトコンベア３１上の検査用パレット治具３２を搬送方向下流側定位置で検出する第２治具検出手段であり、一方の第１ベルトコンベア３０と第２ベルトコンベア３１との境界部付近に第２ベルトコンベア３１の方へ向けて設置された前記同様の光学センサからなる。
【００６３】
検査設備制御装置３６は、第１，第２治具検出センサ７１，７２の両方が検査用パレット治具３２を検出したことを条件として第２ベルトコンベア３１を作動停止させる。故に、治具載置台３３ａ上の検査用パレット治具３２に第２ベルトコンベア３１上の検査用パレット治具３２が衝突するのを防止することができる。尚、検査設備制御装置３６が実行する前記作動停止制御を含むコンベア制御は図１１に示す通りである。
【００６４】
図１１に示すように、このコンベア制御では、第１，第２ベルトコンベア３０，３１が作動中若しくは作動モード中か否か判定され（Ｓ１）、Ｓ１の判定がNoの場合、操作盤７０の始動ＳＷがオンか否か判定され（Ｓ２）、Ｓ２の判定がNoの場合、リターンし、Ｓ２の判定がYes の場合、第１，第２ベルトコンベア３０，３１が作動開始され若しくは作動モードとされ（Ｓ３）、リターンする。
【００６５】
一方、Ｓ１の判定がYes の場合、次に、操作盤７０の停止ＳＷがオンか否か判定され（Ｓ４）、Ｓ４の判定がNoの場合、緊急停止指令が入力か否か判定される（Ｓ５）。Ｓ４判定がYes 又はＳ５の判定がYes の場合、第１，第２ベルトコンベア３０，３１が作動停止され（Ｓ６）、リターンする。
【００６６】
一方、Ｓ４とＳ５の判定が共にNoの場合、第１治具検出センサ７１がオンか否か判定され（Ｓ７）、Ｓ７の判定がYes の場合、第２治具検出センサ７２がオンか否か判定される（Ｓ８）。Ｓ７とＳ８の判定が共にYes の場合、第２ベルトコンベア３１が作動停止され（Ｓ９）、リターンする。一方、Ｓ７の判定がNo又はＳ８の判定がNoの場合、第２ベルトコンベア３１が停止中か否か判定され（Ｓ１０）、Ｓ１０の判定がNoの場合、リターンし、Ｓ１０の判定がYes の場合、第１，第２ベルトコンベア３０，３１が作動モードであるため、第２ベルトコンベア３１が作動開始され（Ｓ１１）、リターンする。
【００６７】
検査数カウントＳＷ７３は、回収ステージフレームＳｂ上に設置され、検査管理表示器７４は、例えば、検査設備フレームＳａの前側上部に設置されている。検査設備制御装置３６は、例えば、計画（検査予定数）、実績（検査完了数）、進度を管理（記憶・更新）し検査管理表示器７４に表示させる。計画については、前記のように操作盤７０で入力することができ、実績については、検査数カウントＳＷ７３がオンされる毎に加算され、進度については、計画と実績等に基づいて算出される。
【００６８】
以上説明した遊技機器検査設備Ｓによれば次の作用・効果を奏する。
図３に示すように、この遊技機器検査設備Ｓでは、基本的に、投入ステージ３３に２人の作業者Ｗが配置され、各検査ステージ３４に１人の作業者が配置され、回収ステージ３５に５人の作業者Ｗが配置される。
【００６９】
投入ステージ３３では、作業者Ｗが、液晶ユニット２０が未装着の検査用パレット治具３２を第２ベルトコンベア３１から回収し、その検査用パレット治具３２に液晶ユニット２０を装着し、その検査用パレット治具３２を１対の第１ベルトコンベア３０の何れかの搬送方向上流側に振分けて後向姿勢で投入する。２人の作業者Ｗが治具載置台３３ａを挟んで左右に分かれて配置されているため、それら作業者Ｗの協働により、検査用パレット治具３２に液晶ユニット２０を装着する作業（１対のロック機構４３の操作作業）と、液晶ユニット２０が装着された検査用パレット治具３２を１対の第１ベルトコンベア３０の何れかへ振分けて後向姿勢で投入する作業を効率良く行うことができる。
【００７０】
各検査ステージ３４では、作業者Ｗが、近接する第１ベルトコンベア３０から検査テーブル３４ａに未検査の液晶ユニット２０が装着された検査用パレット治具３２（つまり、第１ベルトコンベア３０上の後向姿勢の検査用パレット治具３２）を移載し、その検査用パレット治具３２に装着された液晶ユニット２０を検査し、その後検査用パレット治具３２を検査テーブル３４ａから第１ベルトコンベア３０に横向姿勢で移載する。
【００７１】
回収ステージ３５では、作業者Ｗが、１対の第１ベルトコンベア３０の下流端から検査用パレット治具３２を受入れ、その検査用パレット治具３２から液晶ユニット２０を取外して回収し、液晶ユニット２０が未装着の検査用パレット治具３２を第２ベルトコンベア３１の搬送方向上流側に前向姿勢で投入する。
【００７２】
回収ステージ３５において、１対の第１フリーローラコンベア３５ａの各々に２人の作業者Ｗが配置されているため、それら作業者Ｗにより、検査用パレット治具３２から液晶ユニット２０を取外して回収する作業を効率良く行うことができ、第２フリーローラコンベア３５ｂの後側に１人の作業者Ｗが配置されているため、その作業者Ｗにより、液晶ユニット２０が取外された検査用パレット治具３２を受取って第２フリーローラコンベア３５ｂから第２ベルトコンベア３１に投入する作業を効率良く行うことができる。
【００７３】
従って、複数の検査用パレット治具３２を、順次、投入ステージ３３→１対の第１ベルトコンベア３０の何れか→複数の検査ステージ３４の何れか→１対の第１ベルトコンベア３０の何れか→回収ステージ３５→第２ベルトコンベア３１→投入ステージ３３→・・・の順に循環させ、複数の液晶ユニット２０の検査を次々と行うことができる。
【００７４】
尚、第１ベルトコンベア３０上の検査用パレット治具３２に装着の液晶ユニット２０を検査ステージ３４で検査できない事態が発生した場合、その検査用パレット治具３２を第１ベルトコンベア３０から第２ベルトコンベア３１に移動させ、第２ベルトコンベア３１により第１ベルトコンベア３０の搬送方向上流側へ搬送し、再度第１ベルトコンベア３０に戻して検査ステージ３４で検査できるようにすることができる。
【００７５】
検査用パレット治具３２の遊技盤原板４１に液晶ユニット２０を遊技盤４に実装する姿勢と同じ立向姿勢で装着した状態で、この検査用パレット治具３２の複数のキャスター４４により、検査用パレット治具３２を投入ステージ３３の治具載置台３３ａから第２ベルトコンベア３１上に一旦立設させてから、第２ベルトコンベア３１と同高さ位置の１対の第１ベルトコンベア３０の何れかに容易に移動させることができるので、投入ステージ３３での作業負荷を軽減することができる。
【００７６】
また、検査用パレット治具３２の複数のキャスター４４により、検査用パレット治具３２を第１ベルトコンベア３０から第１ベルトコンベア３０と同高さ位置の検査ステージ３４の検査テーブル３４ａに容易に移載することができ、また、検査テーブル３４ａから第１ベルトコンベア３０に容易に移載することができ、しかも、検査用パレット治具３２を検査テーブル３４ａ上で自在に移動させて容易に検査することができ、更に、検査用パレット治具３２に装着されている液晶ユニット２０の取扱いも慎重になり過ぎないようにすることができるので、検査ステージ３４での作業負荷を軽減することができる。
【００７７】
また、回収ステージ３５での作業負荷も軽減することがき、故に、この遊技機器検査設備Ｓによれば、各ステージ３３〜３５での作業負荷を軽減し、作業能率を大幅に向上させることができ、その結果、パチンコ遊技機１の生産性を大幅に向上させることができる。
【００７８】
各検査用パレット治具３２においては、液晶ユニット２０を着脱可能な遊技盤原板４１が遊技盤４の原板と同構造であるため、パチンコ遊技機１の製造にあたって量産された多数の遊技盤４の原板の１つを遊技盤原板４１として使用することができ、故に、この遊技盤原板４１に液晶ユニット２０を確実に装着することができ、しかも、遊技盤原板４１を検査用に別途製作する必要がないため、検査用パレット治具３２の製作コストを低減することができ、遊技機器検査設備Ｓの設備コストを安価にすることができる。
【００７９】
しかも、ベース板４０に１対の支持脚４２を取付けて、この支持脚４２により遊技盤原板４１を交換可能に立設状に支持するので、種々の機種に応じた遊技盤原板をベース板４０に立設状に簡単に装着することができる。つまり、検査用パレット治具３２の汎用性が高くなり、従って、検査用パレット治具３２の製作コストを低減すること、つまり遊技機器検査設備Ｓの設備コストを安価にすることに貢献することができる。
【００８０】
次に、検査用パレット治具３２を部分的に変更した変更形態について説明する。尚、検査用パレット治具３２と同じものには同一符号を付して説明を省略する。
【００８１】
図１２、図１３に示すように、この検査用パレット治具３２Ａは、水平なベース板４０Ａ、遊技盤原板４１、左右１対の支持脚４２Ａ、１対のロック機構４３Ａ、複数（例えば、８個）のフリーボールキャスター４４を備えている。ベース板４０Ａは、検査用パレット治具３２のベース板４０よりも少し長い左右長を有する。
【００８２】
１対の支持脚４２Ａは、ベース板４０Ａの上面の左右両端部分に立設上に取付けられ、遊技盤原板４１を交換可能に立設状に支持する。１対の支持脚４２Ａは夫々断面コ字状に形成され、この１対の支持脚４２Ａの間に遊技盤原板４１が上側から挿入され装着される。１対のロック機構４３Ａは、検査用パレット治具３２の１対のロック機構４３と基本的に同じものであり、１対の支持脚４２Ａに夫々取付けられている。尚、１対の支持脚４２Ａの少なくとも一方を遊技盤原板４１に取付けてもよい。
【００８３】
図１４に示すように、この検査用パレット治具３２Ａは、検査用パレット治具３２Ａにクランプ取付部材４３Ｂａを追加して構成したものである。クランプ取付部材４３Ｂａは、遊技盤原板４１の右縁部にボルト等で固定されたバー状の部材であり、このクランプ取付部材４３Ｂａにロック機構４３Ｂが取付けられている。このロック機構４３Ｂは、検査用パレット治具３２の１対のロック機構４３と基本的に同じものである。尚、遊技盤原板４１の左縁部又は左右両縁部に同様のクランプ取付部材を固定し、このクランプ取付部材にロック機構を取付けてもよい。
【００８４】
その他、本発明の趣旨を逸脱しない範囲において種々の変更を付加して実施可能である。例えば、液晶ユニット２０に限らず、複数の回転ドラム又はＬＥＤディスプレイを含む演出ユニットを検査する遊技機器検査設備に適用可能であるし、こうした演出ユニット以外の遊技機器を検査する遊技機器検査設備に適用可能である。
【符号の説明】
【００８５】
Ｓ  遊技機器検査設備
１  パチンコ遊技機
４  遊技盤
２０  液晶ユニット
２２  画像表示器
３０  第１ベルトコンベア
３１  第２ベルトコンベア
３２，３２Ａ，３２Ｂ  検査用パレット治具
３３  投入ステージ
３３ａ  治具載置台
３４  検査ステージ
３５  回収ステージ
３５ａ  第１フリーローラコンベア
３５ｂ  第２フリーローラコンベア
３６  検査設備制御装置
４０，４０Ａ  ベース板
４１  遊技盤原板
４２，４２Ａ  支持脚
４３、４３Ａ，４３Ｂ  ロック機構
４４  フリーボールキャスター
６０  第１治具ガイド機構
６１，６２  ガイド部材
６５  第２治具ガイド機構
７１  第１治具検出センサ
７２  第２治具検出センサ
【図１】
0005118189.tif 000002
【図２】
0005118189.tif 000003
【図３】
0005118189.tif 000004
【図４】
0005118189.tif 000005
【図５】
0005118189.tif 000006
【図６】
0005118189.tif 000007
【図７】
0005118189.tif 000008
【図８】
0005118189.tif 000009
【図９】
0005118189.tif 000010
【図１０】
0005118189.tif 000011
【図１１】
0005118189.tif 000012
【図１２】
0005118189.tif 000013
【図１３】
0005118189.tif 000014
【図１４】
0005118189.tif 000015
【図１５】
0005118189.tif 000016
【図１６】
0005118189.tif 000017
【図１７】
0005118189.tif 000018
【図１８】
0005118189.tif 000019